(57)【要約】  複数の製品から１つ以上の製品を消費者に推奨するための方法及びシステムであって、システムが、ユーザインターフェース、及びプロセッサであって、各質問が規定の回答のセットを有する、ユーザインターフェースで消費者に質問のリストを提示すること、ユーザインターフェースで消費者によって選択された回答を使用して各質問についての消費者スコアを計算すること、消費者スコアを使用して、各質問についての推奨スコアを計算すること、及び推奨スコアに基づいて消費者に推奨するための１つ以上の製品を選択することのために構成されるプロセッサを備える、方法及びシステム。【選択図】図７
2018526739.tif 000002
【特許請求の範囲】
【請求項１】
複数の製品から１つ以上の製品を消費者に推奨するためのシステムであって、
ユーザインターフェース、及び
プロセッサであって、
前記ユーザインターフェースで前記消費者に、各質問が規定の回答のセットを有する質問のリストを提示すること、
製品毎に、各製品パラメータ入力が製品パラメータ値の規定されたセットを有する複数の製品パラメータ入力にアクセスすること、
各質問についての各パラメータ値に数値スコアを割り当てる、製品マトリックスにアクセスすること、
製品パラメータ入力毎に重み付け係数にアクセスすること、
前記製品パラメータ値と、その値に対する前記スコアと、その値に対する前記重み付け係数とを使用して、各質問についての製品スコアを計算すること、
前記ユーザインターフェースで前記消費者によって選択された前記回答を使用して各質問についての消費者スコアを計算すること、
前記製品スコア及び前記消費者スコアを使用して、各質問についての推奨スコアを計算すること、及び
前記推奨スコアに基づいて前記消費者に推奨するための前記１つ以上の製品を選択すること
のために構成されるプロセッサ
を備えるシステム。
【請求項２】
前記１つ以上の製品を選択するとき、前記プロセッサが、
各質問からの前記推奨スコアの合計として各製品についての合計スコアを計算し、
前記推奨スコアに基づいて前記１つ以上の製品をランク付けし、
前記ランク付けにおけるその位置に基づいて、前記消費者へ推奨するための前記１つ以上の製品を選択する
ように構成される、請求項１に記載のシステム。
【請求項３】
前記１つ以上の製品が毛髪用製品である、請求項１に記載のシステム。
【請求項４】
パラメータ値に割り当てられた前記数値スコアが、正と負の数の両方を含む、請求項１〜３のいずれか一項に記載のシステム。
【請求項５】
各質問に対する前記製品スコアを計算するとき、前記プロセッサが、
当該質問についての前記製品パラメータ値を読み出し、
前記製品マトリックスから当該製品パラメータについての前記数値スコアを読み出し、
当該製品についての前記重み付け係数を読み出し、前記数値スコアに前記重み付け係数を掛けて前記製品スコアを生成する
ように構成される、請求項１〜４のいずれか一項に記載のシステム。
【請求項６】
各製品パラメータについて、各質問についての数値を記憶するマスターマトリックスをさらに備える、請求項１〜５のいずれか一項に記載のシステム。
【請求項７】
前記製品マトリックスが、当該製品についての各製品パラメータ入力に対する数値スコアを前記マスターマトリックスから読み出す、請求項６に記載のシステム。
【請求項８】
請求項１〜７のいずれか一項に記載のシステムを備え、前記消費者に属する毛髪の１つ以上の物理的特性を測定するための画像化装置をさらに備える、ワークステーション。
【請求項９】
前記画像化装置が、毛髪繊維の表面特性の拡大画像を得るための、第１のレンズ及び第１の光源を備える高倍率光学系と、頭皮及び毛髪の拡大画像を得るための、第２のレンズ及び第２の光源を備える低倍率光学系とを有するハウジングを備え、前記高倍率光学系は、一定の焦点距離と、毛髪繊維の焦点が合うようフレーム内に毛髪繊維を位置付けるためのスロットとを有し、さらに、前記装置が一体型の表示手段、外部表示手段、及びそれらの組み合わせから選択される表示手段を備える、請求項８に記載のワークステーション。
【請求項１０】
前記プロセッサが、
前記毛髪の前記物理的特性の前記測定に数値を割り当て、その数値を使用して、前記物理的特性に基づく推奨スコアを計算し、前記物理的特性に基づく前記推奨スコアが、前記ユーザインターフェースでの前記消費者の入力に応じて計算された前記推奨スコアに加えて、又はその代わりに計算される
よう構成される、請求項８又は９に記載のワークステーション。
【請求項１１】
（ａ）前記消費者に推奨するための前記１つ以上の製品を、前記ユーザインターフェースでの前記消費者の前記入力に応じて計算された前記推奨スコアに基づいて選択するか、
（ｂ）前記消費者に推奨するための前記１つ以上の製品を、前記毛髪の前記物理的特性に基づく前記推奨スコアの探索に基づいて返答するか、
（ｃ）前記ユーザインターフェースで前記消費者の前記入力に応じて計算された前記推奨スコアは、前記毛髪の前記物理的特性に基づく前記推奨スコアと組み合わされて全体的な推奨スコアを生成し、前記消費者に推奨するための前記１つ以上の製品は、前記全体的な推奨スコアの探索に基づいて返答される、
請求項１０に記載のワークステーション。
【請求項１２】
複数の製品から１つ以上の製品を消費者に推奨する方法であって、
前記消費者に、各質問が規定の回答のセットを有する質問のリストを提示すること、
製品毎に、各製品パラメータ入力が製品パラメータ値の規定されたセットを有する複数の製品パラメータ入力を提供すること、
各質問についての各パラメータ値に数値スコアを割り当てる、製品マトリックスを提供すること、
製品パラメータ入力毎に重み付け係数を提供すること、
前記製品パラメータ値と、その値に対する前記スコアと、その値に対する前記重み付け係数とを使用して、各質問についての製品スコアを計算すること、
前記消費者によって選択された前記回答を使用して各質問についての消費者スコアを計算すること、
前記製品スコア及び前記消費者スコアを使用して、各質問についての推奨スコアを計算すること、及び
前記推奨スコアに基づいて前記消費者に推奨する前記１つ以上の前記製品を選択すること
を含む、方法。
【請求項１３】
前記１つ以上の製品の前記選択が、
各質問からの前記推奨スコアの合計として各製品についての合計スコアを計算するステップ、
前記推奨スコアに基づいて前記１つ以上の製品をランク付けするステップ、及び
前記ランク付けにおけるその位置に基づいて、前記消費者に推奨するための前記１つ以上の製品を選択するステップ
を含む、請求項１２に記載の方法。
【請求項１４】
前記各質問についての前記製品スコアを計算するステップが、
当該質問についての前記製品パラメータ値を読み出すステップ、
前記製品マトリックスから当該製品パラメータについての前記数値スコアを読み出すステップ、
当該製品についての前記重み付け係数を読み出すステップ、及び
前記数値スコアに前記重み付け係数を掛けて前記製品スコアを生成するステップ
を含む、請求項１〜１３のいずれか一項に記載の方法。
【請求項１５】
複数の製品から１つ以上の製品を消費者に推奨するコンピュータプログラムであって、
前記消費者に、各質問が規定の回答のセットを有する質問のリストを提示すること、
製品毎に、各製品パラメータ入力が製品パラメータ値の規定されたセットを有する複数の製品パラメータ入力を提供すること、
各質問についての各パラメータ値に数値スコアを割り当てる、製品マトリックスを提供すること、
製品パラメータ入力毎に重み付け係数を提供すること、
前記製品パラメータ値と、その値に対する前記スコアと、その値に対する前記重み付け係数とを使用して、各質問についての製品スコアを計算すること、
前記消費者によって選択された前記回答を使用して各質問についての消費者スコアを計算すること、
前記製品スコア及び前記消費者スコアを使用して、各質問についての推奨スコアを計算すること、及び
前記推奨スコアに基づいて前記消費者に推奨するための前記１つ以上の製品を選択すること
のために構成される、コンピュータプログラム。
【発明の詳細な説明】
【技術分野】
【０００１】
本発明は、毛髪及び頭皮の状態を評価し、消費者に適した製品／解決策／レジームを推奨するためのシステム、及びそのシステムを用いて製品を評価及び推奨する方法に関する。
【背景技術】
【０００２】
毛髪の特性を評価することは有用である。特に有用な評価は、毛髪繊維に沿った視覚的なダメージを含み、例えば、毛先の枝毛の分かれた部分、キューティクルの状態、毛髪の直径（これは、健康毛又はダメージ毛とつながりがある複数の属性を示すことができる）、頭皮の皮脂、頭皮のフケ、毛髪の豊富さ（頭皮の特定の領域にある毛髪の数）、及び毛包の占有率（各毛包から出ている毛髪の数）である。このような特性の評価により、毛髪の特定の状態に合った製品の有益な選択が可能になる。
【０００３】
これらの特性は、頭皮及び毛髪の状態に関する消費者の複数の毛髪への懸念と関連し、消費者のヘアケア製品の選択に影響を及ぼす。特定の個人が適切な製品を選択することは、えてして個人の頭皮及び／又は毛髪を評価することから始まる。
【０００４】
消費者は頭皮や毛髪の状態を自己評価するが、そのような定性的な自己評価は正確さに欠けることが多い。さらに、このような評価は、良好な状態と劣悪な状態について参照となる基準に対するベンチマークとなるステップを含まない。
【０００５】
そのような評価をするのに利用可能な顕微鏡がいくつかある。
【０００６】
米国特許出願公開第２０１２／０１２０２２３号は、顕微鏡の少なくとも１つの電気で制御可能な機能を選択及び調整することのうちの少なくとも１つをすべく構成される一体化された操作者制御ユニットを含む携帯式顕微鏡を開示している。操作者制御ユニットは、その起動、停止、及び調整のうちの少なくとも１つのためのユーザ制御コマンドを受信するように構成された少なくとも１つのセンサを含む。センサはタッチ式センサを含み、ユーザの片手での顕微鏡の保持及び操作に対応するように配置されている。
【０００７】
本出願人の同時係属出願である国際公開第２０１４／０４０８５３号は、皮膚及び／又は毛髪の状態を評価するための装置を開示しており、この装置は、ａ）ハウジングと、ｂ）水分（ｍｏｉｓｔｕｒｅ、ｈｙｄｒａｔｉｏｎ）値を測定するための水分計であって、ハウジングの少なくとも一端部によって支持され、そこから突出しており、その端部で、幅が長さよりも長いか、幅が高さよりも大きいアスペクト比（＞１：１〜約２０：１）を有する表面評価領域を備える水分計と、ｃ）前述のハウジングの別個の端部によって支持され、そこから突出しているカメラと、ｄ）コンピュータと通信するための手段で終端する電気ワイヤ又はコードを備えるさらに別の端部とを備えている。
【０００８】
しかし、これらの装置は、単一ユニットの装置に由来する分解能及び極性の最適化に関連する機能性を欠いている。市場の高分解能顕微鏡の大部分は、高解像度の焦点が合った画像を得るために特別な努力が必要であり、したがって訓練された人員がそのような手順を実行することが必要となる。これらの問題に対処する必要性がある。
【０００９】
本発明者らは、今や高倍率光学系と低倍率光学系の両方を含むハンドヘルド画像化装置を使用して、毛髪及び頭皮を簡便かつ効果的に検査できることを見出している。この装置において、この高倍率光学系は、毛髪繊維をフレーム内に位置付けるためのスロットと、その位置付けられた毛髪繊維が合焦しており、手動で焦点を合わせる必要がないように構成されている一定の焦点距離とを有する。スロットは、好ましくは０．５〜１．０ｍｍ、より好ましくは０．７〜０．９ｍｍの幅、及び１０〜２０ｍｍ、好ましくは１２〜１５ｍｍの深さを有する。
【先行技術文献】
【特許文献】
【００１０】
【特許文献１】米国特許出願公開第２０１２／０１２０２２３号
【特許文献２】国際公開第２０１４／０４０８５３号
【発明の概要】
【００１１】
本発明の第１の態様によると、複数の製品から１つ以上の製品を消費者に推奨するためのシステムであって、ユーザインターフェース、及びプロセッサであって、各質問が規定の回答のセットを有する、ユーザインターフェースで消費者に質問のリストを提示すること、各製品パラメータ入力が製品パラメータ値の規定されたセットを有する、製品毎に複数の製品パラメータ入力にアクセスすること、製品マトリックスが各質問についての各パラメータ値に数値スコアを割り当てる、製品マトリックスにアクセスすること、製品パラメータ入力毎に重み付け係数にアクセスすること、製品パラメータ値と、その値に対するスコアと、その値に対する重み付け係数とを使用して、各質問についての製品スコアを計算すること、ユーザインターフェースで消費者によって選択された回答を使用して各質問についての消費者スコアを計算すること、製品スコア及び消費者スコアを使用して、各質問についての推奨スコアを計算すること、及び推奨スコアに基づいて消費者に推奨するための１つ以上の製品を選択することのために構成されるプロセッサを含むシステムが提供される。
【００１２】
１つ以上の製品を選択するとき、プロセッサは、各質問からの推奨スコアの合計として各製品についての合計スコアを計算し、推奨スコアに基づいて１つ以上の製品をランク付けし、ランク付けにおけるその位置に基づいて、消費者へ推奨するための１つ以上の製品を選択するように構成されていてもよい。
【００１３】
製品マトリックスは、ＷＡＮやＬＡＮなどのネットワークを介してシステムがアクセスする外部サーバに記憶してもよい。
【００１４】
１つ以上の製品は、毛髪用製品とされていてもよい。毛髪用製品は、リンスオフ及び／又はリーブインの毛髪用製品、例えば、シャンプー、コンディショナー、ヘアトリートメント及びスタイリング製品を含み得る。製品パラメータは、主要利点、副次的利点、重さ、及び／又はフォーマットを含むことができる。主要利点の製品パラメータの値は、例えば、水分、基本的な清潔さを含むことができる。副次的利点の製品パラメータの値は、例えば、水分、基本的な清潔さを含むことができる。フォーマットの値は、例えばシャンプー、コンディショナー、ヘアトリートメント又はスタイリング製品などの毛髪用製品のタイプに対応することができる。
【００１５】
各質問に対する規定されている回答のセットは、好ましくは１０個以下の回答、より好ましくは５個以下の回答を含むことができ、ユーザインターフェースでグラフィカルユーザインターフェースを使用して、関連する質問と共に使用者に提示してもよい。
【００１６】
消費者に質問をする場合、方法は、消費者が選択するのを補助するための絵的な参照を提示する、特別なステップを含むことができる。例えば、絵的な参照は、まっすぐな髪／ウェーブした髪／縮毛を描くのでもよい。このようにして、得られた回答の正確さ（したがって推奨されるものも）を改善することができる。
【００１７】
アンケートは、好ましくは、モバイルデバイス、コンピュータ、タブレット又は他のソフトウェアデバイスでの使用に適したアプリである。アプリのＧＵＩにより、スライドでの選択又はドロップダウンメニューの形式で、各質問に対する規定された回答のセットを得ることができる。
【００１８】
好ましくは、パラメータ値に割り当てられた数値スコアは、正と負の数の両方を含む。
【００１９】
各質問に対する製品スコアを計算するとき、プロセッサが、
当該質問についての製品パラメータ値を読み出し、製品マトリックスから当該製品パラメータについての数値スコアを読み出し、当該製品についての重み付け係数を読み出し、数値スコアに重み付け係数を掛けて製品スコアを生成する
ように構成されていてもよい。
【００２０】
システムは、各製品パラメータについて、各質問についての数値を記憶するマスターマトリックスをさらに備えるようにされていてもよい。
【００２１】
製品マトリックスとマスターマトリックスの両方を外部のサーバに記憶することができる。製品管理ソフトウェアを使用して、製品の詳細を製品マトリックスに入力することができる。ソフトウェアは、当該製品についてのマスターマトリックスから関連するスコアを読み出し、その後これらのスコアを製品マトリックスに転送する。
【００２２】
製品マトリックスが、当該製品についての各製品パラメータ入力に対する数値スコアをマスターマトリックスから読み出すようにされていてもよい。
【００２３】
マスターマトリックスは、可能性のあるすべての製品についての利点のスコアを含むルックアップテーブルの形式をとることが好ましい。
【００２４】
製品マトリックスは、好ましくは、サマリーテーブルの形式をとり、当該製品についてのすべての関連スコアの合計を計算する。
【００２５】
例えば、製品が潤いをもたらして光沢を与え、縮れをなくす場合、製品マトリックスは、マスターマトリックスから各Ｑ＆Ａの組み合わせについて、水分、光沢及び縮れに関するスコアの合計を返答する。
【００２６】
製品とマスターマトリックスのこの有利な組み合わせの代わりに１つのマトリックスのみ使用する場合、すべての製品を列挙し、各製品が各々のＱ＆Ａの組み合わせに対して関連する程度を反映するスコアを有する１つのマトリックスを構築する必要がある。これは、製品が提示する利点の観点で特徴づけられないため、信頼性が低くなる。このようなシステムは、限定された範囲の製品に対しては容認できるが、より大規模の製品のセットを管理することは困難である。
【００２７】
システムは、毛髪の１つ以上の物理的特性を測定する画像化装置をさらに備えるようにされていてもよい。
【００２８】
システムが画像化装置を含む場合、ハンドヘルド画像化装置は、毛髪繊維の表面特性の拡大画像を得るための、第１のレンズ及び第１の光源を備える高倍率光学系と、頭皮及び毛髪の拡大画像を得るための、第２のレンズ及び第２の光源を備える低倍率光学系とがあるハウジングを備えていてよく、高倍率光学系は、一定の焦点距離と、フレーム内に毛髪繊維を位置付けるためのスロットとを有し毛髪繊維の焦点が合うようにし、装置はさらに、一体型の表示手段、外部表示手段、及びそれらの組み合わせから選択される表示手段を備える。
【００２９】
画像化装置はハンドヘルドであってよい。
【００３０】
低倍率光学系は、偏光及び非偏光の照明を選択できるように、偏光アセンブリを有するようにされていてもよい。
【００３１】
偏光アセンブリは、ソフトウェアアプリケーションから遠隔で電力供給及び／又は制御でき、そのアプリケーションは消費者に質問のリストを提示するのと同じソフトウェアアプリケーションとされていてもよい。
【００３２】
低倍率光学系は、一定の焦点距離を有することができるようにされていてもよい。
【００３３】
低倍率光学系はキャップを有して、レンズと表面の間の一定で容易に再現可能な間隔を画定することができるようにされていてもよい。
【００３４】
画像化装置は、２つ以上のライト、好ましくは６つ以上のライトを含むことができるようにされていてもよい。複数のライトが存在する場合、それらは、装置の先端に位置付けられる低倍率光学系の周りに規則的な間隔を置いて円状に配置してもよい。
【００３５】
画像化装置は、好ましくはＵＳＢコネクタ又は無線接続から選択されるソフトウェアデバイスに接続するための手段をさらに備えることができる。
【００３６】
画像化装置は、ソフトウェアデバイスに直接接続してもよい。この接続により、画像化装置からソフトウェアデバイスに画像を転送することができる。
【００３７】
このシステムは、毛髪の物理的特性の測定に数値を割り当てること、及びこの数値を使用して、物理的特性に基づいて推奨スコアを計算することのために構成することができる。この数値は、製品の推奨を補助するためにアンケートにより出力される推奨値と組み合わせてもよい。したがって、数値は、製品マトリックス及び／又はマスターマトリックスの一部を形成することができる。数値は、実際の測定値を使用してマトリックスを生成するのではなく、正の整数及び／又は負の整数、あるいは小数から有効数字１桁であってもよい。
【００３８】
例えば、毛髪の先端、及び見出した枝毛の分かれた部分は、画像化装置によって分析することができ、製品マトリックスは、ダメージ又は枝毛の分かれた部分を修復する利点を有する製品を優先するように、設計される。画像化装置は、先端のダメージ、毛髪の直径、フケの存在、皮脂の存在、毛包の占有率、及び毛髪の密度を測定するように適合させることができ、これらの要因のすべては、システムのプロセッサによって実行される（１又は複数の）アルゴリズムを介して製品の推奨に加えることができる。
【００３９】
また、物理的特性は毛髪の直径及び／又は毛髪のカール度の測定を含むことができる。
【００４０】
本発明の第２の態様により、複数の製品から１つ以上の製品を消費者に推奨する方法であって、各質問が規定の回答のセットを有する、消費者に質問のリストを提示すること、各製品パラメータ入力が製品パラメータ値の規定されたセットを有する、製品毎に複数の製品パラメータ入力を提供すること、製品マトリックスが各質問についての各パラメータ値に数値スコアを割り当てる、製品マトリックスを提供すること、製品パラメータ入力毎に重み付け係数を提供すること、製品パラメータ値と、その値に対するスコアと、その値に対する重み付け係数とを使用して、各質問についての製品スコアを計算すること、
消費者によって選択された回答を使用して各質問についての消費者スコアを計算すること、製品スコア及び消費者スコアを使用して、各質問についての推奨スコアを計算すること、及び
推奨スコアに基づいて消費者に推奨するための１つ以上の製品を選択すること
を含む方法が提供される。
【００４１】
第１の態様に関連して上述した任意選択の特徴は第２の態様にも同様に適用できることを理解されたい。
【００４２】
特に、１つ以上の製品を選択するステップは、各質問からの推奨スコアの合計として各製品についての合計スコアを計算するステップ、推奨スコアに基づいて１つ以上の製品をランク付けするステップ、及びランク付けにおけるその位置に基づいて、消費者へ推奨するための１つ以上の製品を選択するステップを含むことができる。
【００４３】
１つ以上の製品は、シャンプー、コンディショナー、ヘアトリートメント及びスタイリング製品といったリンスオフ及びリーブインの製品を含む毛髪用製品であってよい。
【００４４】
各質問についての製品スコアを計算するステップは、当該質問についての製品パラメータ値を読み出すステップ、製品マトリックスから当該製品パラメータについての数値スコアを読み出すステップ、当該製品についての重み付け係数を読み出すステップ、及び数値スコアに重み付け係数を掛けて製品スコアを生成するステップを含む。
【００４５】
１つ以上の製品を消費者に推奨する方法は、画像化装置を使用して個人の毛髪の状態を評価し、その後に毛髪の状態に適した製品を推奨する方法を含むことができる。毛髪の状態を評価するためのこの方法は、
１）毛髪繊維を画像化装置のスロットに置き、繊維の高解像度画像を得るステップ、
２）任意選択で低倍率光学系を毛髪又は頭皮上に置き、画像を得るステップ、
３）アンケートに答えるように個人に求めるステップ、
４）ステップ３）から生じる回答をアルゴリズムに与えて、そこから出力を得るステップ、及び
５）アルゴリズムからの出力と共に、ステップ１）及び２）の画像を使用して、製品の推奨を行うステップ
を含むことができる。
【００４６】
本発明の第３の実施形態により、複数の製品から１つ以上の製品を消費者に推奨するコンピュータプログラムであって、各質問が規定の回答のセットを有する、消費者に質問のリストを提示すること、各製品パラメータ入力は製品パラメータ値の規定されたセットを有する、製品毎に複数の製品パラメータ入力を提供すること、製品マトリックスが各質問についての各パラメータ値に数値スコアを割り当てる、製品マトリックスを提供すること、製品パラメータ入力毎に重み付け係数を提供すること、製品パラメータ値と、その値に対するスコアと、その値に対する重み付け係数とを使用して、各質問についての製品スコアを計算すること、消費者によって選択された回答を使用して各質問についての消費者スコアを計算すること、製品スコア及び消費者スコアを使用して、各質問についての推奨スコアを計算すること、及び推奨スコアに基づいて消費者に推奨するための１つ以上の製品を選択することのために構成される、コンピュータプログラムが提供される。
【００４７】
コンピュータプログラムは、複数の製品から１つ以上の製品を消費者に推奨するためのコンピュータプログラム製品の形態をとることができ、コンピュータプログラム製品は、非一時的なコンピュータ可読媒体に有形に具体化され、コンピュータプログラム製品は、各質問が規定された回答のセットを有する、消費者用の質問のリストを提示すること；各製品パラメータ入力が製品パラメータ値の規定されたセットを有する、製品毎に複数の製品パラメータ入力を提供すること；製品マトリックスが各質問についての各パラメータ値に数値スコアを割り当てる、製品マトリックスを提供すること；製品パラメータについての入力毎に重み付け係数を提供すること；製品パラメータ値と、その値に対するスコアと、その値に対する重み付け係数とを用いて、各質問に対する製品スコアを計算すること；消費者によって選択された回答を用いて各質問についての消費者スコアを計算すること；製品スコア及び消費者スコアを用いて、各質問についての推奨スコアを計算すること；及び推奨スコアに基づいて消費者に推奨するための１つ以上の製品を選択することを、データ処理装置に生じさせるよう構成する命令を含む。
【００４８】
いくつかの実施形態では、質問に対する使用者の回答の結果として計算された推奨スコアは、使用者の毛髪測定に応じて生成された推奨スコアに代わるものである。使用者は、推奨値、及びしたがって製品の推奨に到達するために、画像化装置を使用するか、ユーザインターフェースを使用するかを選択することができる。したがって、単一のワークステーションは、使用者の好みに適合することができるので、汎用性がある。
【００４９】
代替の実施形態として、又は上記の実施形態と組み合わせて、アンケートの回答に応じて計算された推奨スコアだけでなく、画像化装置による毛髪の測定によって生成された推奨スコアをも組み込んだ総合推奨スコアを、計算する。例えば、いくつかの実施形態では、総合推奨スコアは、アンケートの回答に応じてユーザインターフェースによって計算された推奨スコアと、画像化装置による毛髪の測定によって生成された推奨スコアとの平均である。平均は、２つの結果の直接的な平均値であってもよく、推奨値の一方が他方よりも高い重み付けを与えられた、重み付けの平均であってもよい。
【００５０】
第４の態様により、第１の態様のシステムを含み、及び／又は第２の態様の方法を実施するように構成されたワークステーションが提供される。
【００５１】
第１の態様のシステムの一部として、ワークステーションは、上記のハンドヘルド画像化装置と、スクリーンとを備えていてもよく、その場合において、ハンドヘルド装置及びスクリーンが、単一のベースに配置されている。
【００５２】
当業者にとっては、高倍率光学系のスロット（４）を用いることによって、例えば、毛髪、羊毛、織物、合成繊維といった多くの異なるタイプの繊維の特性を測定するのに、本発明のハンドヘルド画像化装置を使用できることは、明らかである。
【００５３】
本発明の実施形態を、以下の非限定的な図面を参照してこれから説明する。
【図面の簡単な説明】
【００５４】
【図１】本発明のいくつかの実施形態で使用するためのハンドヘルド画像化装置の斜視図である。
【図２】内部の要素を示すハンドヘルド画像化装置の斜視図である。
【図３】使用中のハンドヘルド画像化装置の斜視図である。
【図４】空間的に配置された８つのライトを有する支持リング（１５）を示す低倍率端部の図面である。
【図５】ハンドヘルド画像化装置を含むワークステーション（１６）の斜視図である。
【図６】本発明によるシステムの例である。
【図７】複数の製品から１つ以上の製品を消費者に推奨する方法の概略図である。
【図８ａ】本発明のシステムで使用するためのマスターマトリックスの例である。
【図８ｂ】本発明のシステムで使用するための利点重み付けテーブルの例である。
【図９ａ】第１の製品の製品利点入力の例である。
【図９ｂ】図９ａの製品の製品マトリックスの例である。
【図１０ａ】第２の製品の製品利点入力の例である。
【図１０ｂ】図１０ａの製品の製品マトリックスの例である。
【図１１ａ】本発明のシステムが生成する製品出力テーブルの例である。
【図１１ｂ】本発明のシステムによって尋ねられる質問に対する消費者の回答の例である。
【図１１ｃ】図８〜１０で収集及び計算されたデータに基づく、第１の消費者に対する推奨の計算を示す例である。
【図１１ｄ】図８〜１０で収集及び計算されたデータに基づく、第２の消費者に対する推奨の計算を示す例である。
【００５５】
図１は、ハウジング（１）、高倍率光学系（２）、低倍率光学系（３）、スロット（４）、外部表示手段に接続するための手段（５）、シャッターボタン（６）、把持部（７）及びスペーサキャップ（８）を含む装置の斜視図である。
【００５６】
図２は、内部の要素を示す装置の図面である。この図面において、高倍率光学系（２）が、構成要素の第１のレンズ（９）及び第１の光源（１０）と共に示され、また低倍率光学系（３）が、第２のレンズ（１１）と第２の光源（１２）を含むよう示されている。
【００５７】
図３は、使用中のスロット機構の斜視図である。毛髪繊維の束（１３）が、高解像度画像を得るためにスロット（４）内に保持されている。
【００５８】
図４は、空間的に配置された８つのライト（１４）を有する支持リング（１５）を示す低倍率端部の図面である。スペーサキャップ（８）は、偏光させるために捻ることができる。
【００５９】
図５は、スタンド（１８）に載置したハンドヘルド画像化装置（１７）及びスクリーン（１９）を備えたワークステーション（１６）の斜視図であり、すべて単一のベース（２０）に配置されている。
【発明を実施するための形態】
【００６０】
本発明は、毛髪及び頭皮の特性を測定するハンドヘルド画像化装置に関する。
【００６１】
「手持ち式」又は「ハンドヘルド」という用語は、典型的には３５センチメートル（ｃｍ）未満、好ましくは１０〜２５ｃｍの長さ（コードを含まない）、及び２〜８ｃｍ、好ましくは３〜６ｃｍの幅である装置を意味する。
【００６２】
装置は、好ましくは顕微鏡である。
【００６３】
装置は、好ましくは、頭皮及び毛髪の根元に近接して保持できる先端部を有する。
【００６４】
ハウジング
装置はハウジング（１）を特徴とする。通常、ハウジングは、耐衝撃性の高いプラスチックであるＡＢＳ（ポリアクリロニトリル−ブタジエン−スチレン）などの比較的硬いプラスチックで形成する。
【００６５】
好ましくは、ハウジングは把持部（７）を有する。それは、親指用の湾入やくぼみ程度に簡素なものであってよい。好ましくは、把持部は、ハウジングと同一平面にある領域を形成する。好ましい実施形態では、把持部は、柔らかいが耐久性のある、比較的高い摩擦係数（ハウジングの摩擦係数に対して）を有する材料で形成される。そのような材料は、天然材料、例えばゴム、又は合成材料、例えばＰＶＣ、ポリウレタン及びシリコーン系の材料であってもよい。
【００６６】
高倍率光学系
高倍率光学系は、個々の毛髪繊維の表面特性の拡大画像を得るために使用する。例えば、キューティクルや枝毛の分かれた部分の詳細である。
【００６７】
高倍率光学系（２）は、第１のレンズ（９）及び第１の光源（１０）を備える。光源及びレンズは、光源を毛髪に向け、毛髪の拡大画像がレンズを通って作成されるように位置合わせされる。
【００６８】
高倍率光学系は、毛髪繊維をフレーム内に位置付けるためのスロット（４）と、位置付けられた毛髪繊維が合焦し、手動で焦点を合わせる必要がないように構成された一定の焦点距離とを有する。スロットは、好ましくは０．２５〜０．３５ｍｍ、より好ましくは０．２６〜０．３０ｍｍ、最も好ましくは０．２７〜０．２９ｍｍの幅、及び１０〜２０ｍｍ、好ましくは１２〜１５ｍｍの深さを有する。
【００６９】
高倍率光学系の分解能は、好ましくは５００〜１５００倍（５００〜１５００Ｘ）、より好ましくは６００〜１０００Ｘ、最も好ましくは７００〜９００Ｘの範囲である。
【００７０】
毛髪繊維の数は、好ましくは１〜１００本、より好ましくは５〜５０本である。繊維の数が画質に影響することが判明した。本発明者らは、１〜１００本、特に５〜５０本の毛髪の束を使用することが、一度で少なくとも１本の毛髪の焦点合わせを達成するのに特に有利であることを見出した。このようにすると、焦点の合った画像を得るために手動で焦点を合わせる必要がない。
【００７１】
高倍率光学系は、毛髪が使用者の頭部に付いているときに、軸の長さに沿った毛髪繊維及び繊維の先端の高画質の画像を得るために、有利に使用される。また、抜けている毛髪を使用する場合には、根元を画像化するために使用することもできる。
【００７２】
低倍率光学系
低倍率光学系は、第２のレンズ（１１）及び第２の光源（１２）を備える。光源及びレンズは、光源を毛髪及び／又は頭皮に向け、毛髪及び／又は頭皮の拡大画像がレンズを通って作成されるように位置合わせされる。低倍率光学系（３）は、好ましくは、頭皮及び毛髪に近接して保持することができるハンドヘルド画像化装置の先端に位置付けられる。
【００７３】
低倍率光学系の分解能は、好ましくは１０〜２００倍（１０〜２００Ｘ）、より好ましくは２５〜１５０Ｘ、最も好ましくは３０〜１００Ｘの範囲である。
【００７４】
低倍率光学系は、一定の焦点距離又は可変の調整可能な焦点距離を有することができる。
【００７５】
焦点距離が固定されている場合、低倍率光学系は、レンズと表面との間に正しい間隔をもたらすために、好ましくはスペーサキャップ（８）を有する。
【００７６】
焦点距離が可変である場合、焦点合わせ手段が必要である。これは、レンズの位置又は顕微鏡の長さを調節することができる。好ましい合焦手段は、焦点合わせホイールである。調整可能な焦点合わせキャップは、キャップを引っ張るかねじることで長さを変えることによって調整でき、そのようにして焦点を変える。
【００７７】
低倍率光学系は、第２の光源を含む。
【００７８】
第２の光源は、好ましくは、装置の先端に位置付けられる低倍率光学系の周囲に、空間的に配置された２つ以上のライト（１４）、好ましくは４〜１０のライト、最も好ましくは８つのライトを備える。好ましくは、これは、ライトを支持するリング（１５）にライトを配置することによって達成される。好ましくは、ライトは発光ダイオード（ＬＥＤ）である。
【００７９】
低倍率光学系は、好ましくは、偏光及び非偏光の照明を選択できるように、偏光アセンブリを有する。好ましくは、偏光アセンブリは、ソフトウェアアプリケーションから遠隔で電力供給及び／又は制御される。あるいは、偏光は、機械的手段、好ましくはボタンを用いて、又は顕微鏡の低倍率端部にあるスペーサキャップなどのキャップをねじることによって、制御することができる。偏光は、毛髪及び頭皮の特徴のより良好な画像を得ることを可能にする。
【００８０】
低倍率光学系は、頭皮及び毛髪の拡大画像を得るために使用する。低倍率光学系は、毛髪が使用者の頭部に付いているときに、毛根領域（頭皮の近く）及び頭皮の高画質画像を得るために有利に使用される。抜けている毛髪を使用する場合、これは繊維のすべての部分の画像を得るために使用され得る。低倍率光学系は、健康毛又はダメージ毛と関連する属性、例えば頭皮の皮脂、頭皮のフケ、毛髪の豊富さ（頭皮の特定の領域にある毛髪の数）、及び毛包の占有率（各毛包から出ている毛髪の数）などを示すことができる複数の特徴を強調する。
【００８１】
表示手段
好ましくは、支援ソフトウェアは、顕微鏡からのデータ信号を取込み、それをデジタル画像に変換し、次いでそれを表示手段に示すことができる。
【００８２】
この装置は、一体型の表示手段、外部表示手段、及びそれらの組み合わせから選択される表示手段を備える。
【００８３】
表示手段は、装置の高倍率光学系及び低倍率光学系によって得られる毛髪及び頭皮の画像を見る目的のものである。
【００８４】
画像は、装置に内蔵された小さなスクリーンなどの、装置の内部にある表示手段を介して直接見ることができる。画像は、スクリーンなどの外部表示手段に転送してもよい。
【００８５】
適切な一体型の表示手段は、装置のハウジングに一体化されたスクリーンと、一体型アイピースとを含む。このようなスクリーンは、ハンドヘルド画像化装置のサイズに適合する小型スクリーンとする。
【００８６】
好ましくは、表示手段は外部表示手段である。外部表示手段を使用する場合、外部表示手段に接続するための手段が必要となる。接続のための好ましい手段は、ＵＳＢコネクタ、フォノコネクタ、及び無線接続である。
【００８７】
好ましくは、外部表示手段は、スクリーンを含む別個の装置であり、本発明のハンドヘルド画像化装置を解放可能に接続することができる。好ましいそのような別個の装置は、コンピュータ、モニタ、携帯電話、タブレット、及びラップトップを含む。
【００８８】
画像の取込み
ハンドヘルド装置は、任意選択のシャッター操作手段、例えばシャッターボタン（６）を備えていてもよい。シャッター操作手段が、ハウジングのスロットの反対側に位置付けられることが好ましい。これは、装置を使用している間、片手で操作しやすくする。
【００８９】
毛髪と頭皮の画像をスクリーンに表示することができる。画像は、ソフトウェアデバイスに取込む（例えば記録や保存をする）ことができる。
【００９０】
画像は、毛髪及び／又は頭皮の状態を評価するために使用される。画像は、毛髪又は頭皮の状態を評価するためにアルゴリズムからの出力と併せて使用することもできる。
【００９１】
ダメージなどの毛髪の状態における段階的な差異を示す画像のセットと比較することによって、評価を行うことができる。ダメージは、例えば、キューティクルのリフトアップ、キューティクルの崩壊、枝毛の分かれた部分などによって示せる。これは、高倍率光学系から得られた画像から明らかになる。同様に、低倍率光学系から得られた画像で明白となる特徴を評価することができ、これは、健康毛又はダメージ毛、例えば頭皮の皮脂、頭皮のフケ、毛髪の豊富さ（頭皮の特定の領域にある毛髪の数）、及び毛包の占有率（各毛包から出ている毛髪の数）と関連する複数の属性を示すことができる。
【００９２】
キューティクルのリフトアップ、キューティクルの崩壊、枝毛の分かれた部分、皮脂の存在、フケ、毛髪の豊富さ、毛包の占有率などの毛髪の状態を緩和するように設計された製品のリストと評価を比較することによって、製品の推奨を行うことができる。これは手動で、又はソフトウェア又はアルゴリズムの手段により実行することができる。
【００９３】
接続性
本発明の画像化装置は、ソフトウェアデバイスに接続するための手段を備えることが好ましく、それはＵＳＢコネクタ、Ｂｌｕｅｔｏｏｔｈ（登録商標）接続、無線接続及びシリアルポート接続経路から好ましくは選択される。
【００９４】
画像化装置は、ソフトウェアデバイスに接続させてもよい。好ましくは、ソフトウェアデバイスは、コンピュータ、携帯電話、タブレット、及びラップトップコンピュータから選択される。ソフトウェアデバイスに接続することにより、毛髪の画像をソフトウェアデバイスに転送することができる。その後、見るために画像を表示することができる。
【００９５】
好ましくは、システムへの電力は、配電網から外的に供給される。より好ましくは、装置から電力が供給され、本発明のハンドヘルド画像化装置が解放可能に接続され得るソフトウェアデバイスが好ましい。あるいは、充電式バッテリ又は装置内の使い捨てバッテリによって電力を供給することができる。
【００９６】
最も好ましくは、ハンドヘルド画像化装置をソフトウェアデバイスに接続するための手段、外部表示手段、及び電力供給が、すべて単一の接続によって促進される。
【００９７】
アルゴリズム
画像化装置は、ユーザインターフェースと、アルゴリズムを実行するようにプログラムしたプロセッサとを含む、演算装置（すなわち、システム）と共に使用することができる。アルゴリズムは、好ましくは、質問を含むアンケートにリンクされる。装置の使用者が質問に答え、回答がそのアルゴリズムに与えられる。出力によって、使用者に製品の推奨を行うことができる。好ましくは、アルゴリズムからの出力は、製品の推奨を行うために、画像化装置の光学系から得られた画像と併せて使用される。
【００９８】
システムによって実行されるアルゴリズムは、好ましくは、
各質問が規定の回答のセットを有する、消費者に質問のリストを提示するステップと、
各製品パラメータ入力が製品パラメータ値の規定されたセットを有する、製品毎に複数の製品パラメータ入力を提供するステップと、
製品マトリックスが各質問についての各パラメータ値に数値スコアを割り当てる、製品マトリックスを提供するステップと、
製品パラメータ入力毎に重み付け係数を提供するステップと、
製品パラメータ値と、その値に対するスコアと、その値に対する重み付け係数とを使用して、各質問についての製品スコアを計算するステップと、
消費者によって選択された回答を使用して各質問についての消費者スコアを計算するステップと、
製品スコア及び消費者スコアを使用して、各質問についての推奨スコアを計算するステップと、
推奨スコアに基づいて消費者に推奨するための１つ以上の製品を選択するステップと
を実行するように構成された（すなわちプログラムされた）プロセッサの形態をとる。
【００９９】
それによってアルゴリズムは、製品が付与すると主張する利点に基づいて、それらが個々の消費者に関連している程度に応じて、ヘアケア製品を推奨する方法を提供する。
【０１００】
まず、参加者はアンケートに答えねばならない。
【０１０１】
高レベルでは、アルゴリズムは、以下からなる（すなわち、特許請求されているシステムのプロセッサが以下の特徴を実装するように構成される）：
１．消費者の毛髪のタイプ、ヘアケアレジーム、及び端部の外見／感触の要件に関する一連の質問に対する製品についての「利点」のマトリックス（オンパックでの主張、コンディショニングレベル、フォーマットのタイプからなる）。マトリックスのスコアは、消費者がアンケートにいかに回答するかに応じて、各々の製品の利点に数値的な関連性を割り当てるように集められる。
【０１０２】
２．製品をアプリにアップロードさせる製品アップローダー機能。一連のドロップダウンメニューから、オンパックでの主張、コンディショニングレベル、及びフォーマットのタイプを含む製品の利点を選択することにより、製品がシステムに入力される。これにより、ポイント１（上記）のマトリックスからスコアを抽出して、特定の地域、国又は店舗用の別個の製品マトリックスを組み立てることができる。
【０１０３】
３．製品の利点のための重み付けシステム。重み付けは以下のように割り当てられる：主要なオンパックでの主張は０．４、副次的なオンパックでの主張は０．２、コンディショニングレベルは０．２及びフォーマットのタイプは０．２である。これらの重み付けは、必要に応じて変更することができる。各製品は、１つの主要利点と最大４つの副次的利点を有することができる。
【０１０４】
ポイント１のマトリックスにポイント２で選択された製品の利点とポイント３での重みを掛け合わせることにより、消費者の髪タイプ、ヘアケアレジーム及び端部の外見／感触の要件に関する一連の質問に対する製品の利点スコアのデータベースは、特定の地域、国又は店舗向けにコンパイルされている。
【０１０５】
このシステムの利点は次のとおりである：
第１に、アプリに接続された製品データベースは、世界規模、地域、国、又は店舗レベルで調整することができ、そのためアプリはその場所で消費者が利用できる製品のみを推奨する。
【０１０６】
第２に、新製品の発売、オンパックでの主張の更新、製品の再フォーミュレーション、又は製品のリストからの削除時に、製品データベースを容易に更新することができる。
【０１０７】
このように、このアルゴリズムにより、製品がカタログに追加又はカタログから削除されるたびに手動で製品データベースを更新する必要性をなくし、そのため新製品が発売されるたびに製品の専門家が関与する必要性を低減する。
【０１０８】
本発明のシステムによって実行されるアルゴリズムの例を図８〜図１１に示す。
【０１０９】
図８は、マスターマトリックステーブル（図８ａ）及び利点重み付けテーブル（図８ｂ）の形式で得られるデータを示している。
【０１１０】
特定の製品に関するさらなるデータは、製品利点入力の形式で別途提供される。図９ａは、第１の製品の製品利点入力の第１の例を示し、図１０ａは、第２の製品の製品利点入力を示す。この情報は、マスターマトリックステーブルと利点重み付けテーブルにある情報とは別のソースから提供される可能性がある。例えば、マスターマトリックステーブルと利点重み付けテーブルのデータは、Ｇｌｏｂａｌ  Ｒ＆Ｄチームなどの第１のチームによって作成され得る。製品利点入力のデータは、別のブランドチームが提供してもよい。
【０１１１】
図９ｂ及び図１０ｂは、各々図９ａ及び１０ａの製品の製品マトリックスの例を示す。製品マトリックスは、マスターマトリックス及び利点重み付けテーブルのデータにアクセスして、製品の利点スコアを計算する。
【０１１２】
次いで製品マトリックスからの情報に基づいて、様々な出力テーブルをシステムによって生成することができる。そのようなテーブルの例を図１１ａ〜図１１ｄに示す。それにおいて：
図１１ａは、製品出力テーブルの例を示し、
図１１ｂは、ユーザインターフェースで尋ねられた質問に対する消費者の回答の例を示し、
図１１ｃは、図８〜１０において収集及び計算されたデータに基づく、第１の消費者に関する推奨スコアの計算の例を示し、図１１ｄは、図８〜１０で収集及び計算されたデータに基づく、第２の消費者に対する推奨スコアの計算の例を示す。
【０１１３】
図１１ａ〜図１１ｄに示されたテーブルはすべて、携帯電話、タブレット又はコンピュータなどのソフトウェアデバイスで動作するソフトウェアアプリで生成することができる。
【０１１４】
ワークステーション
ワークステーションは、ハンドヘルド画像化装置とスクリーン、好ましくはソフトウェアデバイスを備え、ハンドヘルド装置とスクリーンは単一のベースに配置される。ワークステーションは、ハンドヘルド画像化装置用のホルダをさらに備えることができる。
【０１１５】
スクリーンは、好ましくは、コンピュータ、モニタ、携帯電話、タブレット及びラップトップから選択され、最も好ましくはコンピュータ、携帯電話、タブレット及びラップトップから選択されるソフトウェアデバイスから選択される。好ましくは、スクリーンは顕微鏡とは別個に又は顕微鏡と連結させて使用することができる。スクリーンは、質問のリストを消費者に提供するユーザインターフェースの少なくとも一部を形成する。いくつかの実施形態で、スクリーン（１９）はタッチスクリーンであってもよく、したがって、ユーザインターフェース全体を提供する。他の実施形態では、ユーザインターフェースはスクリーンの形態をとり、マウスやキーパッドなどの別の入力デバイス（図示せず）と接続させることができる。
【０１１６】
ベースは、好ましくはケーブル格納部を含む。好ましくは、ハンドヘルド画像化装置及びスクリーン用の電力の入力は、単一のベースに統合され、すべての構成要素に電力を供給するためにベースを電源に接続することだけが必要であるようにする。
【０１１７】
ワークステーションの構成要素、例えばハンドヘルド画像化装置、スクリーン、任意選択のホルダやベースは、好ましくは、ハンドヘルド画像化装置のハウジング（１）と同じ材料でケーシングされている。したがって、ワークステーションの構成要素は外観と色が統一されている。把持領域の材料はまた、ベース及び／又はスクリーンのケーシングに複製してもよい。
【０１１８】
システム
１つ以上の製品を推奨するためのシステム１００は、ワークステーション１１０（図５に示す形態をとることができる）及び別個の外部コンピュータ１４０又はサーバを備えることができる。ワークステーションは、ユーザインターフェース１１１、画像化装置１１２、及びプロセッサ１１３を含むことができる。プロセッサ及び画像化装置は、コンピュータ、携帯電話又はタブレットのようなソフトウェアデバイス内に配置することができる。図６に示すように、ワークステーション及び外部コンピュータは、ＷＡＮやＬＡＮなどのネットワーク１３０を介して互いに接続させてもよい。
【０１１９】
外部コンピュータ１４０は、製品マトリックス１４１及びマスターマトリックス１４２を含むことができる。他の実施形態（図示せず）では、製品マトリックス及び／又はマスターマトリックスの一方又は両方をワークステーションに位置付けることができる。
【０１２０】
方法
本発明の好ましい実施形態では、複数の製品から製品を推奨する方法は、毛髪用製品を対象とする。これに関連して、画像化装置を用いて毛髪及び頭皮の状態を評価する方法、及び毛髪の状態に適した製品を推奨する方法は、
１）毛髪繊維（１３）をスロット（４）に置き、繊維の高解像度画像を得るステップ、
２）低倍率光学系（３）を毛髪又は頭皮上に置き、画像を得るステップ、
３）ステップ１）及び２）の画像を用いて、毛髪及び／又は頭皮の状態の評価を行うステップ、及び
４）ステップ３）の評価を用いて製品の推奨を行うステップ
を含む。
【０１２１】
本発明の画像化装置を使用して個体の毛髪の状態を評価し、本発明のシステムを使用して毛髪の状態に適した製品を推奨するための方法は、図７に示されており、
ｓ１）毛髪繊維（１３）をスロット（４）に置き、繊維の高解像度画像を得るステップ、
ｓ２）低倍率光学系（３）を毛髪又は頭皮上に置き、画像を得るステップ、
ｓ３）ユーザインターフェースでアンケートに答えるように個人に求めるステップ、
ｓ４）ステップ３）から生じる回答をアルゴリズムに与えて、そこから出力を得るステップ、及び
ｓ５）アルゴリズムからの出力と共に、ステップ１）及び／又は２）の画像を使用して、製品の推奨を行うステップを含む。
【０１２２】
より詳細には、ステップ３〜５は、以下のステップに分けられる：
ｓ３ａ）各質問が規定の回答のセットを有する、消費者に質問のリストを提示するステップと、
ｓ４ａ）各製品パラメータ入力が製品パラメータ値の規定されたセットを有する、製品毎に複数の製品パラメータ入力を提供するステップと、
ｓ４ｂ）製品マトリックスが各質問についての各パラメータ値に数値スコアを割り当てる、製品マトリックスを提供するステップと、
ｓ４ｃ）製品パラメータ入力毎に重み付け係数を提供するステップと、
ｓ４ｄ）製品パラメータ値と、その値に対するスコアと、その値に対する重み付け係数とを使用して、各質問についての製品スコアを計算するステップと、
ｓ４ｅ）消費者によって選択された回答を使用して各質問についての消費者スコアを計算するステップと、
ｓ４ｆ）製品スコア及び消費者スコアを使用して、各質問についての推奨スコアを計算するステップと、
ｓ４ｇ）推奨スコアに基づいて消費者に推奨するための１つ以上の製品を選択するステップと、
ｓ５）システムのアルゴリズムからの推奨をステップ１）及び２）の画像と組み合わせるステップ。
【０１２３】
１つ以上の製品の選択が行われるステップｓ４ｇ）は、
各質問からの推奨スコアの合計として各製品についての合計スコアを計算するステップと、
推奨スコアに基づいて１つ以上の製品をランク付けするステップと、
ランク付けにおけるそれらの位置に基づいて消費者に推奨するための１つ以上の製品を選択するステップと
をさらに含み得る。
【０１２４】
さらに、各質問に対する製品スコアを計算するステップは、好ましくは、
当該質問についての製品パラメータ値を読み出すステップと、
製品マトリックスから当該製品パラメータについての数値スコアを読み出すステップと、
当該製品についての重み付け係数を読み出すステップと、数値スコアに重み付け係数を掛けて製品スコアを生成するステップと
を含む。
【０１２５】
図５に示すような実施形態では、ワークステーションは、２つ以上のタイプの使用者の入力に基づいて使用者に製品の推奨を行うことができる。
【０１２６】
使用者が画像化装置を使用して入力を収集することを望む場合、ワークステーションのプロセッサは、
毛髪の物理的特性の測定に数値を割り当てること、及び
この数値を使用して、毛髪の物理的特性に基づいた推奨スコアを計算すること
のためにプログラムし得る。
【０１２７】
したがって、物理的特性に基づく推奨スコアは、ユーザインターフェースにおける消費者の入力で得られる推奨スコアに加えて、又はその代わりに、プロセッサが計算することができる。
【０１２８】
いくつかの実施形態では、毛髪の物理的特性の測定に数値を割り当てるステップは、
ａ）毛髪の画像を取込むこと
ｂ）得られた画像を、関連する数値を有する一組の記憶画像と比較すること、及び
ｃ）（推奨スコアとして使用される）数値を返答すること
に関与する。記憶画像は、アプリケーションが実行されているシステムのメモリ内に局所的に位置付けることが可能なデータベースに記憶される。あるいは、記憶画像は、外部の演算装置又はサーバに位置付けてもよい。データベースの位置にかかわらず、データベース内の各画像には、割り当てられた数値が含まれる。画像を探索すると、取込まれた画像に最も近い対応する記憶画像が選択され、その画像の関連する数値がシステムのプロセッサに返答される。返答された数値は、「毛髪の物理的性質に基づく推奨スコア」を形成する。
【０１２９】
より多くの柔軟性を使用者に提示するために、推奨プロセスを３つの選択肢のいずれか１つに沿わせてよい：
（ａ）消費者に推奨するための１つ以上の製品を、ユーザインターフェースでの消費者の入力に応じて計算された推奨スコアに基づいて選択する、
（ｂ）消費者に推奨するための１つ以上の製品を、毛髪の物理的特性に基づく推奨スコアの探索に基づいて返答する、又は
（ｃ）ユーザインターフェースで消費者の入力に応じて計算された推奨スコアは、毛髪の物理的特性に基づく推奨スコアと組み合わされて全体的な推奨スコアを生成し、消費者に推奨するための１つ以上の製品は、前述の全体的な推奨スコアの探索に基づいて返答される。
【０１３０】
上記の諸方法は、参加者の頭部に付いている毛髪、又は抜けている（頭部に付いていない）毛髪について行うことができる。この方法を、参加者の頭部に付いている毛髪で実施する場合、ステップ１）は、好ましくは毛髪繊維の軸及び先端で実施し、ステップ２）は、好ましくは毛髪の根元で実施する。
【０１３１】
ハンドヘルド画像化装置は、毛髪及び頭皮の状態の以下の側面の１つ以上（つまり、毛髪の以下の特性）を評価するのに特に有用である。毛髪の並び、キューティクルの状態、及び色落ちは、毛髪繊維の全長に沿って評価することができる。枝毛の分かれた部分、ボブル及びねじれは、特に、毛髪繊維の先端部での評価に関連する。薄く剥がれた皮膚、乾燥、及び脂っぽさなどの頭皮の状態の指標は、繊維の密度（すなわち、単位面積当たりの繊維の数）及び複数の占有率（毛包あたりの繊維の数）と同様に、本発明のハンドヘルド画像化装置を用いて有利に評価される。
【０１３２】
上記の方法で使用される毛髪繊維の数は、好ましくは１〜１００本、より好ましくは５〜５０本である。
【０１３３】
参加者は一定期間にわたって毛髪と頭皮をモニタすることができる。参加者の毛髪及び／又は頭皮を調整して改善された状態にすべくプログラムが推奨する製品は、モニタリングされる期間にわたって適用できる。（１又は複数の）上記の方法は、繰り返してもよい。それによって、消費者は、毛髪及び／又は皮膚（頭皮）の状態を改善すべく適用できる製品、又は他のいずれかの製品の有効性を、評価できるようになる。
【図１】
2018526739.tif 000003
【図２】
2018526739.tif 000004
【図３】
2018526739.tif 000005
【図４】
2018526739.tif 000006
【図５】
2018526739.tif 000007
【図６】
2018526739.tif 000008
【図７】
2018526739.tif 000009
【図８ａ】
2018526739.tif 000010
【図８ｂ】
2018526739.tif 000011
【図９ａ】
2018526739.tif 000012
【図９ｂ】
2018526739.tif 000013
【図１０ａ】
2018526739.tif 000014
【図１０ｂ】
2018526739.tif 000015
【図１１ａ】
2018526739.tif 000016
【図１１ｂ】
2018526739.tif 000017
【図１１ｃ】
2018526739.tif 000018
【図１１ｄ】
2018526739.tif 000019
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
複数の製品から１つ以上の製品を消費者に推奨するためのシステム、および
前記消費者に属する毛髪の１つ以上の物理的特性を測定するための画像化装置
を備えるワークステーションであって、
前記システムは、
ユーザインターフェース、及び
プロセッサであって、
前記ユーザインターフェースで前記消費者に、各質問が規定の回答のセットを有する質問のリストを提示すること、
製品毎に、各製品パラメータ入力が製品パラメータ値の規定されたセットを有する複数の製品パラメータ入力にアクセスすること、
各質問についての各パラメータ値に数値スコアを割り当てる、製品マトリックスにアクセスすること、
製品パラメータ入力毎に重み付け係数にアクセスすること、
前記製品パラメータ値と、その値に対する前記スコアと、その値に対する前記重み付け係数とを使用して、各質問についての製品スコアを計算すること、
前記ユーザインターフェースで前記消費者によって選択された前記回答を使用して各質問についての消費者スコアを計算すること、
前記製品スコア及び前記消費者スコアを使用して、各質問についての推奨スコアを計算すること、
前記毛髪の前記物理的特性の前記測定に数値を割り当て、その数値を使用して、前記物理的特性に基づく推奨スコアを計算し、前記物理的特性に基づく前記推奨スコアが、前記ユーザインターフェースでの前記消費者の入力に応じて計算された前記推奨スコアに加えて計算されること、
全体的な推奨スコアに基づいて前記消費者に推奨するための前記１つ以上の製品を選択することであって、前記ユーザインターフェースでの前記消費者の入力に応じて、各質問について計算された前記推奨スコアに、前記物理的特性に基づく前記推奨スコアを組み合わせて、前記全体的な推奨スコアが計算され、前記消費者に推奨するための前記１つ以上の製品は、前記全体的な推奨スコアの探索に基づいて返答されること、
を含むシステムである、
前記ワークステーション。
【請求項２】
前記毛髪の前記物理的特性の前記測定に数値を割り当てることが、
ａ）画像化装置を用いて毛髪の画像を取込むこと
ｂ）得られた画像を、関連する数値を有する一組の記憶画像と比較すること、及び
ｃ）前記関連する数値の１つを、毛髪の物理的特性に基づいた推奨スコアとして返答すること
であることを含む、請求項１に記載のワークステーション。
【請求項３】
前記取込まれた画像に最も近い対応する記憶画像が選択され、その画像の関連する数値が毛髪の物理的特性に基づいた推奨スコアを形成する、請求項１に記載のワークステーション。
【請求項４】
前記１つ以上の製品を選択するとき、前記プロセッサが、  各質問からの前記推奨スコアの合計として各製品についての合計スコアを計算し、
前記推奨スコアに基づいて前記１つ以上の製品をランク付けし、
前記ランク付けにおけるその位置に基づいて、前記消費者へ推奨するための前記１つ以上の製品を選択する
ように構成される、請求項１〜３のいずれか一項に記載のワークステーション。
【請求項５】
前記１つ以上の製品が毛髪用製品である、請求項１〜４のいずれか一項に記載のワークステーション。
【請求項６】
パラメータ値に割り当てられた前記数値スコアが、正と負の数の両方を含む、請求項１〜５のいずれか一項に記載のワークステーション。
【請求項７】
各質問に対する前記製品スコアを計算するとき、前記プロセッサが、
当該質問についての前記製品パラメータ値を読み出し、
前記製品マトリックスから当該製品パラメータについての前記数値スコアを読み出し、
当該製品についての前記重み付け係数を読み出し、前記数値スコアに前記重み付け係数を掛けて前記製品スコアを生成する
ように構成される、請求項１〜６のいずれか一項に記載のワークステーション。
【請求項８】
各製品パラメータについて、各質問についての数値を記憶するマスターマトリックスをさらに備える、請求項１〜７のいずれか一項に記載のワークステーション。
【請求項９】
前記製品マトリックスが、当該製品についての各製品パラメータ入力に対する数値スコアを前記マスターマトリックスから読み出す、請求項８に記載のワークステーション。
【請求項１０】
前記画像化装置が、毛髪繊維の表面特性の拡大画像を得るための、第１のレンズ及び第１の光源を備える高倍率光学系と、頭皮及び毛髪の拡大画像を得るための、第２のレンズ及び第２の光源を備える低倍率光学系とを有するハウジングを備え、前記高倍率光学系は、一定の焦点距離と、毛髪繊維の焦点が合うようフレーム内に毛髪繊維を位置付けるためのスロットとを有し、さらに、前記装置が一体型の表示手段、外部表示手段、及びそれらの組み合わせから選択される表示手段を備える、請求項１〜９のいずれか一項に記載のワークステーション。
【請求項１１】
複数の製品から１つ以上の製品を消費者に推奨する方法であって、
前記消費者に、各質問が規定の回答のセットを有する質問のリストを提示すること、
製品毎に、各製品パラメータ入力が製品パラメータ値の規定されたセットを有する複数の製品パラメータ入力を提供すること、
各質問についての各パラメータ値に数値スコアを割り当てる、製品マトリックスを提供すること、
製品パラメータ入力毎に重み付け係数を提供すること、
前記製品パラメータ値と、その値に対する前記スコアと、その値に対する前記重み付け係数とを使用して、各質問についての製品スコアを計算すること、
前記消費者によって選択された前記回答を使用して各質問についての消費者スコアを計算すること、
前記製品スコア及び前記消費者スコアを使用して、各質問についての推奨スコアを計算すること、
前記推奨スコアに基づいて前記消費者に推奨する前記１つ以上の前記製品を選択すること、
画像化装置を用いて、前記消費者に属する毛髪の１つ以上の物理的特性を測定すること、
前記毛髪の前記物理的特性の前記測定に数値を割り当て、その数値を使用して、前記物理的特性に基づく推奨スコアを計算し、前記物理的特性に基づく前記推奨スコアが、前記ユーザインターフェースでの前記消費者の入力に応じて計算された前記推奨スコアに加えて計算されること、
全体的な推奨スコアに基づいて前記消費者に推奨するための前記１つ以上の製品を選択することであって、前記ユーザインターフェースでの前記消費者の入力に応じて、各質問について計算された前記推奨スコアに、前記物理的特性に基づく前記推奨スコアを組み合わせて、前記全体的な推奨スコアが計算され、前記消費者に推奨するための前記１つ以上の製品は、前記全体的な推奨スコアの探索に基づいて返答されること、
を含む、方法。
【請求項１２】
前記１つ以上の製品の前記選択が、
各質問からの前記推奨スコアの合計として各製品についての合計スコアを計算するステップ、
前記推奨スコアに基づいて前記１つ以上の製品をランク付けするステップ、及び
前記ランク付けにおけるその位置に基づいて、前記消費者に推奨するための前記１つ以上の製品を選択するステップ
を含む、請求項１１に記載の方法。
【請求項１３】
前記各質問についての前記製品スコアを計算するステップが、
当該質問についての前記製品パラメータ値を読み出すステップ、
前記製品マトリックスから当該製品パラメータについての前記数値スコアを読み出すステップ、
当該製品についての前記重み付け係数を読み出すステップ、及び
前記数値スコアに前記重み付け係数を掛けて前記製品スコアを生成するステップ
を含む、請求項１１または１２に記載の方法。
【請求項１４】
複数の製品から１つ以上の製品を消費者に推奨するコンピュータプログラムであって、
前記消費者に、各質問が規定の回答のセットを有する質問のリストを提示すること、
製品毎に、各製品パラメータ入力が製品パラメータ値の規定されたセットを有する複数の製品パラメータ入力を提供すること、
各質問についての各パラメータ値に数値スコアを割り当てる、製品マトリックスを提供すること、
製品パラメータ入力毎に重み付け係数を提供すること、
前記製品パラメータ値と、その値に対する前記スコアと、その値に対する前記重み付け係数とを使用して、各質問についての製品スコアを計算すること、
前記消費者によって選択された前記回答を使用して各質問についての消費者スコアを計算すること、
前記製品スコア及び前記消費者スコアを使用して、各質問についての推奨スコアを計算すること、及び
前記推奨スコアに基づいて前記消費者に推奨するための前記１つ以上の製品を選択すること、
画像化装置を用いて、前記消費者に属する毛髪の１つ以上の物理的特性を測定すること、
前記毛髪の前記物理的特性の前記測定に数値を割り当て、その数値を使用して、前記物理的特性に基づく推奨スコアを計算し、前記物理的特性に基づく前記推奨スコアが、前記ユーザインターフェースでの前記消費者の入力に応じて計算された前記推奨スコアに加えて計算されること、
全体的な推奨スコアに基づいて前記消費者に推奨するための前記１つ以上の製品を選択することであって、前記ユーザインターフェースでの前記消費者の入力に応じて、各質問について計算された前記推奨スコアに、前記物理的特性に基づく前記推奨スコアを組み合わせて、前記全体的な推奨スコアが計算され、前記消費者に推奨するための前記１つ以上の製品は、前記全体的な推奨スコアの探索に基づいて返答されること、
のために構成される、コンピュータプログラム。
【国際調査報告】
2018526739.tif 000020
2018526739.tif 000021